(57)【要約】      （修正有）【課題】不可解で不思議な種々の回転（動き方）をする器具を提供する。【解決手段】下部台座１の四隅に「糸巻きリール装置」２を設置しそのリールに巻き付けてある各糸１０を上部台座７の四隅に設けた小穴１１に結び付け、下部台座と上部台座を結合させ、さらに上部台座の「糸巻きリール装置」に巻き付けてある「１本の糸」９で「吊るし観察器具」全体を持ち上げると吊るし器具が回転する。【選択図】図６
2015230482.tif 000002
【特許請求の範囲】
【請求項１】
種々の材料と種々の形態で作成した「吊るし観察器具」で１本の糸で吊るすと不可解で不思議な回転と動き方をする、その回転と動き方を観察する器具
【発明の詳細な説明】
【技術分野】
【０００１】この発明は種々の材料と形態から作成した「吊るし観察器具」を１本の糸で吊るす事により、様々な回転（動き方）始める、この不可解で不思議な回転（動き方）を観察するための「吊るし観察器具」である。（以下、糸の表現は種々の糸類を含む）
【背景技術】
【０００２】種々の材料と形態から作成した「吊るし観察器具」を１本の糸で吊るすことにより様々な回転（動き方）始める、このような不可解で不思議な回転（動き方）を観察する器具（装置）は現在まで存在していない。
【発明の概要】
【発明が解決しようとする課題】
【０００４】現在まで１本の糸で種々の物を、水平を保って吊るすと、種々の回転を（動き方）をする観察器具が現在まで存在せず、種々の材料と形態から作成した「吊るし観察器具」を１本の糸で吊るすことにより、様々な不可解で不思議な回転（動き方）をする、「吊るし観察器具」を作成して、多くの方々にこの現象を知って頂き、さらに、「何故動くか、そしてこの器具を動かすエネルギー源は何か」について、関心を持って頂く事は、未来エネルギー開発や、霊エネルギー開発、地殻活動エネルギー開発等に役立つと思われる。
この「吊るし器具」を回転（動き方）させている眼に見えない未知のエネルギー源の存在が必ずあり、そのエネルギーがこの吊るし器具を回転させていると思われる。
また、次のような不可解で不思議な回転をすることもある。
・軽量の「吊るし観測器具」は人が近寄ると必ず回転（動く）を始めるので、人間には、霊エネルギーがあると思われる。
・軽量の「吊るし観測器具」は、突然かなりの速さで３〜５分間位回転をする場合もある。
・材料が鉄や木片等でかなりの重さがあってもよく回転をする。
・鉄の「吊るし観察器具」は地殻活動による地磁気波で回転すると思われる。
【課題を解決するための手段】
【０００５】この「吊るし観察器具」は、種々の材料（鉄、アルミニュウム、銅等の金属類や発泡スチロール、木材、紙類等の非金属類、その他）と、形態は主として、長方形を基本とした種々の「吊るし観察器具」である。
「吊るし観察器具」全体の構造が描かれている図７で、この器具の構造を説明する。
この器具の構造は、「下部台座」（符号１）の四隅に設置した「糸巻きリール装置」（符号２）の各リールに巻き付けてある「糸」（符号１０）を「上部台座」（符号７）の四隅に設けた「小穴」（符号１１）に結び付けて、４本の糸（符号１０）で上部台座と下部台座を結合させる。また「吊るし観察器具」の平衡バランスが取り難い場合は、下部台座に設置されている「糸巻きリール装置」のリールに巻かれた各糸の長さ調節して平衡バランスを取り、バランスが取れたら調整の取れた糸の位置を固定、維持するために「蝶つがいネジ」でその位置を締めて平衡バランスを保持する。
その際、各糸の長さ調整をする場合は、各糸巻きリールを指先で回して糸の長さ調整をして、平衡バランスを取る。
また、上部台座（符号７）に設置されている「糸巻きリール装置」（符号８）に巻き取られている糸の先端が、一本の糸（符号９）に連なり、一本の糸（符号９）で「吊るし観察器具」全体を吊るす際、「糸巻きリール装置（符号８）」で糸の長さ調整を行って、好みの高さに調整して吊る下げることが出来る装置である。
【発明の効果】
【０００６】次の事項の効果がある
・現在までこのような１本の糸で種々の物質と形態から構成された「吊るし観察器具」という観測器具がなかったので、種々の物質が、種々の不思議な動きをする観測は出来なかったが、この「吊るし観測器具」を使用して種々の物質の動き方の観察が出来るようになった。
・この地上、地下には数多くの目みえない種々の波動エネルギーが飛び交っている、その種々の波動エネルギーが、この「吊るし観測器具」の種々の不可解で不思議な動きをさせている原因と思われる。このような動き方を「吊るし観察器具」を用いて多くの方々に観測して頂き、眼に見えない、種々の波動の未知のエネルギーの存在に関心を持つことは、科学の発展に大変役立つと思われる。
【図面の簡単な説明】
【０００７】
【図１】板等で作成した四角形の台座（符号１）で、この台座上の四隅に図２に表示されているように、「糸巻きリール装置」を設置する。また、この下部にある台座を下部台座（符号１）と表現し、この下部台座の上方にある台座（符号７）を上部台座と表現する。
【図２】下部台座の四隅の設置する「糸巻きリール装置」（符号２）の斜視図である
【図３】下部台座の四隅の設置する「糸巻きリール装置」（符号２）の上部から見た図である
【図４】下部台座の四隅の設置した「糸巻きリール装置」（符号２）の斜視図である
【図５】上部台座（符号７）に設置する「糸巻きリール装置」（符号８）で、このリールに巻いてある糸の先端が一本の糸（符号９）に連なっていて、この糸が「吊るし観察器具」全体を吊るすと、吊るし器具は回転を始める。
【図６】下部台座（符号１）の四隅に設置されている「糸巻きリール装置」に巻いた各糸（符号１０）を上部台座の四隅に設けた小穴（符号１１）に、結び付けて上部台座（符号７）と下部台座を４本の糸（符号１０）で結合させている図である。
【図７】「吊るし観察器具」全体図であり、下部台座の四隅に設置した「糸巻きリール装置」に巻いてある各糸（符号１０）を上部台座に設けた四隅にある小穴（符号１１）に、結び付けて、上部台座（符号７）と下部台座とを４本の糸で結合させて、さらに、下部台座の下側に「吊るし器具」（図１０）を取り付けた「吊るし観察器具」全体を一本の糸（符号９）で吊るしている図である  「吊るし観察器具」の平衡バランスが取りにくい場合には、下部台座に設置されている各「糸巻きリール装置」のリールに巻いてある各糸の長さ調節をして、平衡バランスを取る、平衡バランスが取れたら、その糸の箇所を固定、保持させるために「糸巻きリール装置」に取り付けてある「蝶つがいネジ」（符号３）で締め付けて、糸の位置を固定させて、平衡バランスを保持、安定させる。また、上部台座に設置されている「糸巻きリール装置」（符号８）は、この糸巻きリールに巻いてある先端が「１本の糸（符号９）」に連なり、この糸の長さ調整をしてそして「吊るし観察器具」の高さを容易に好みの高さにして吊すことが出来るようにさせた装置で、高さの位置を固定、保持するために、「糸巻きリール装置」（符号８）の蝶つがいネジ（符号３）で、好みの糸の箇所を締めて糸の位置を固定させて好みの高さを保持する。
【図８】針金を使用して作成した「吊るし器具」である。
【図９】長方形を基本にして作成する「吊るし観察器具」で、このフレームに紙、アルミホイ−ル、薄いプラスチック板等の軽量の材料をフレームに貼り付ける。
【図１０】テレビアンテナの形を取り入れた形態の「吊るし観察器具」で特に定型はない
【図１１】円筒型をした「吊るし観察器具」で、特に材料の指定はない。
【発明を実施するための形態】
【０００８】図７は、「吊るし観察器具」の全体図であり、この図で構成を説明する。下部台座（符号１）の四隅に設置した「糸巻きリール装置」（図２）に巻いてある各糸（符号１０）を上部台座に設けた四隅にある小穴（符号１１）に、結び付けて上部台座（符号７）と下部台座とを４本の糸で結合させて、１本の糸（符号９）で、この「吊るし観察器具」全体を吊るしている図であり、この状態で「吊るし観察器具」が回転をする。
また、「吊るし観察器具」の平衡バランスが取りにくい場合には、下部台座に設置されている各「糸巻きリール装置」のリールに巻いてある各糸の長さ調節をして、平衡バランスが取る、平衡バランスが取れたら、バランスが取れた、糸の箇所を固定、保持させるために「糸巻きリール装置」に取り付けてある「蝶つがいネジ」（符号３）で締め付けて、その糸の位置を固定させて、平衡バランスを保持、安定させる。
上部台座に設置されている「糸巻きリール装置」（符号８）は、この糸巻きリールに巻いてある糸の先端に連なる「１本の糸（符号９）」であり、この糸の長さ調整をして「吊るし観察器具」全体の高さを容易に調整して吊るすことが出来るようにした装置である。なお、下部台座（符号１）の下部に「吊るし器具」（図１０）を合体させた全体図である。
【符号の説明】
【０００９】［符号１］板等で作成した四角形の台座である。
［符号２］図２と図３は下部台座に設置する「糸巻きリール装置」で、各糸の長さ調節をして「吊るし観察器具」の平衡バランスを容易に取るための装置である。
［符号３］「蝶つがいネジ」で、糸巻きリール装置に巻いてある糸の長さの調整を取った後、糸の位置を固定させるために「蝶つがいネジ」で糸を締め付けて「吊るし観察器具」の平衡バランスを保持する装置である。
［符号４］「糸巻きリール装置」にある「蝶つがいネジ」の軸である。
［符号５］「糸巻きリール装置」にある「糸巻リール」で、このリールを指先で前後に回転させて巻いてある糸の長さ調整をして「吊るし観察器具」全体の平衡バランスを取る。
［符号６］「糸巻きリール装置」を「下部台座」に設置させるための「ネジ穴」で図３に表示がある
［符号７］板等で作成した四角形の「上部台座」である。
［符号８］「上部台座」に設置されている「糸巻きリール装置」で、このリールに巻いてある糸の先端が「１本の糸（符号９）」に連なっている。
［符号９］「吊るし観察器具」の上部にある「１本の糸」で、この「１本の糸」で「吊るし観察器具」全体を持ち上げると、「吊るし器具」が種々の回転を始める。
［符号１１］上部台座の四隅に設けた「小穴」で、この穴に下部台座の四隅に設置した各「糸巻リール装置」の４本の糸（符号１０）を結んで、上部台座と下部台座を結合させる。
［符号１２］下部台座の下部に、各「吊るし器具」（図８、図９、図１０、図１１）を合体させて吊るすが、図７の吊るし器具には図１０の「吊るし器具」を符号１２として表示して下部台座の下部に合体した図である。
また、吊るし器具（図８、図９、図１０、図１１）以外の種々形態の「吊るし器具」も合体する事ができる。
【図１】
2015230482.tif 000003
【図２】
2015230482.tif 000004
【図３】
2015230482.tif 000005
【図４】
2015230482.tif 000006
【図５】
2015230482.tif 000007
【図６】
2015230482.tif 000008
【図７】
2015230482.tif 000009
【図８】
2015230482.tif 000010
【図９】
2015230482.tif 000011
【図１０】
2015230482.tif 000012
【図１１】
2015230482.tif 000013